(57)【要約】【課題】マイクロホン本体にカプセル部が交換可能であるコンデンサマイクロホンにおいて、マイクロホン本体側にフェライトビーズを作業性よく組み込み可能とする。【解決手段】インピーダンス変換器を含む電子回路を有するマイクロホン本体２０と、静電型の音響電気変換器１２を有しマイクロホン本体２０に着脱可能に連結されるカプセル部１０とを含み、カプセル部１０の連結端側のほぼ中央には音響電気変換器１２のための第１接続端子部１４が配置され、マイクロホン本体２０の連結端側には電気絶縁性の支持基台２２が設けられ、支持基台２２のほぼ中央に電子回路のための第２接続端子部２５が配置されており、カプセル部１０のマイクロホン本体２０への連結に伴って第１接続端子部１４と第２接続端子部２５とが互いに接触するコンデンサマイクロホンにおいて、第２接続端子部２５の周りにフェライトビーズ２６を配置する。【選択図】図２
2011019087.tif 000002
【特許請求の範囲】
【請求項１】
インピーダンス変換器を含む電子回路を有するマイクロホン本体と、静電型の音響電気変換器を有し上記マイクロホン本体に着脱可能に連結されるカプセル部とを含み、
上記カプセル部の連結端側のほぼ中央には上記音響電気変換器のための第１接続端子部が配置され、上記マイクロホン本体の連結端側には電気絶縁性の支持基台が設けられ、上記支持基台のほぼ中央に上記電子回路のための第２接続端子部が配置されており、上記カプセル部の上記マイクロホン本体への連結に伴って上記第１接続端子部と上記第２接続端子部とが互いに接触するコンデンサマイクロホンにおいて、
上記第２接続端子部の周りにフェライトビーズが配置されていることを特徴とするコンデンサマイクロホン。
【請求項２】
上記支持基台には上記フェライトビーズが着脱可能に収納される収納溝が形成されていることを特徴とする請求項１に記載のコンデンサマイクロホン。
【請求項３】
上記フェライトビーズに弾性的に作用し、上記収納溝内での上記フェライトビーズの振動を防止する弾性体を備えていることを特徴とする請求項２に記載のコンデンサマイクロホン。
【請求項４】
上記弾性体が環状に形成されたクッションパッドからなり、上記収納溝の溝底および／または上記カプセル部の連結端側に設けられることを特徴とする請求項３に記載のコンデンサマイクロホン。
【発明の詳細な説明】
【技術分野】
【０００１】
本発明は、マイクロホン本体に対してカプセル部を所望する指向性に応じて適宜交換することのできるコンデンサマイクロホンに関し、さらに詳しく言えば、その連結部分における電磁シールド技術に関するものである。
【背景技術】
【０００２】
コンデンサマイクロホンは、そのマイクロホンユニットが備える静電型の音響電気変換器のインピーダンスがきわめて高いため、インピーダンス変換器を含む電子回路をマイクロホンに内蔵している。インピーダンス変換器には、通常、ＦＥＴ（電界効果トランジスタ）が用いられている。
【０００３】
そのため、電子回路に外来電磁波（特には携帯電話機から放射される電磁波）による高周波電流が加えられると、インピーダンス変換器（ＦＥＴ）にて検波され、可聴周波数の雑音が発生することがある。
【０００４】
この問題は、マイクロホン筐体のシールドを確実にすることにより解決されるが、例えば特許文献１に記載されているようなマイクロホン本体に対してカプセル部（マイクロホンユニット）が交換可能である機種では、機械的に結合する部分で電気的接続を行うようにしているため、その連結部から高周波電流がマイクロホン筐体内に入り込みやすい。
【０００５】
ＦＥＴのゲートにフェライトビーズを取り付けることにより、高周波電流のＦＥＴへの流れ込みを防止することができる。
【先行技術文献】
【特許文献】
【０００６】
【特許文献１】特開２００７−２８０２７号公報
【発明の概要】
【発明が解決しようとする課題】
【０００７】
しかしながら、ＦＥＴのゲートにフェライトビーズを取り付けるには、組立作業上手間がかかるばかりでなく、ＦＥＴのゲート部分はインピーダンスが高いことから、フェライトビーズが機械的に振動すると振動雑音が発生し、また、電気的絶縁が不十分であると漏洩雑音が発生することがある。
【０００８】
また、ＦＥＴのゲートは、音質に直接影響を与える部分であることから、高周波電流による雑音が生じないような環境下では、フェライトビーズはない方がよい。
【０００９】
したがって、本発明の課題は、マイクロホン本体に対してカプセル部が交換可能であるコンデンサマイクロホンにおいて、マイクロホン本体側にフェライトビーズを作業性よく、しかも着脱自在に組み込み可能とすることにある。
【課題を解決するための手段】
【００１０】
上記課題を解決するため、本発明は、インピーダンス変換器を含む電子回路を有するマイクロホン本体と、静電型の音響電気変換器を有し上記マイクロホン本体に着脱可能に連結されるカプセル部とを含み、上記カプセル部の連結端側のほぼ中央には上記音響電気変換器のための第１接続端子部が配置され、上記マイクロホン本体の連結端側には電気絶縁性の支持基台が設けられ、上記支持基台のほぼ中央に上記電子回路のための第２接続端子部が配置されており、上記カプセル部の上記マイクロホン本体への連結に伴って上記第１接続端子部と上記第２接続端子部とが互いに接触するコンデンサマイクロホンにおいて、上記第２接続端子部の周りにフェライトビーズが配置されていることを特徴としている。
【００１１】
本発明の好ましい態様によれば、上記支持基台には上記フェライトビーズが着脱可能に収納される収納溝が形成される。
【００１２】
また、上記フェライトビーズに弾性的に作用し、上記収納溝内での上記フェライトビーズの振動を防止する弾性体を備える。
【００１３】
また、上記弾性体が環状に形成されたクッションパッドからなり、上記収納溝の溝底および／または上記カプセル部の連結端側に設けられることが好ましい。
【発明の効果】
【００１４】
本発明によれば、カプセル部の音響電気変換器からマイクロホン本体の電子回路に至る信号経路に含まれる第２接続端子部の周りにフェライトビーズを配置するようにしたことにより、外来電磁波に起因する高周波電流の電子回路への流れ込みを防することができるとともに、マイクロホン本体側にフェライトビーズを作業性よく組み込むことができる。
【００１５】
また、支持基台にフェライトビーズが着脱可能に収納される収納溝を形成することにより、第２接続端子部に対してフェライトビーズが確実に絶縁されるため，漏洩雑音が生じないばかりでなく、高周波電流による雑音が生じないような環境下では、フェライトビーズを簡単に取り外すことができる。
【００１６】
また、フェライトビーズに弾性的に作用し、その収納溝内でのフェライトビーズの振動を防止する弾性体を備えることにより、フェライトビーズの振動による振動雑音をなくすことができる。
【図面の簡単な説明】
【００１７】
【図１】本発明のコンデンサマイクロホンの組立状態を示す断面図。
【図２】本発明に含まれるカプセル部とマイクロホン本体とを分離して示す断面図。
【発明を実施するための形態】
【００１８】
次に、図１ないし図２により、本発明の実施形態について説明するが、本発明はこれに限定されるものではない。
【００１９】
図１および図２を参照して、本発明は、マイクロホンカプセル（カプセル部）１０と、マイクロホン本体２０とを備え、所望とする指向性に応じてマイクロホンカプセル１０を交換することができるコンデンサマイクロホンである。
【００２０】
マイクロホンカプセル１０は、金属材の円筒体からなるカプセル筐体１１を備える。このマイクロホンカプセル１０は単一指向性であるため、カプセル筐体１１には、前部音響端子１１１と後部音響端子１１２とが設けられている。
【００２１】
カプセル筐体１１内には、静電型の音響電気変換器１２が収納されている。音響電気変換器１２は、ダイアフラムリングに張設されている振動板と、絶縁座に支持されている固定極とをセパレータリングを介して対向的に配置してなる変換器であってよい。
【００２２】
カプセル筐体１１の連結端１１ａ側の外周には、一方の連結手段としての雄ネジ１１３が形成されている。また、カプセル筐体１１のの連結端１１ａ側の開口部は封口部材１３が設けられている。
【００２３】
封口部材１３のほぼ中央には、導電接触ピン（第１接続端子部）１４が進退可能に設けられている。この実施形態において、封口部材１３は、第１および第２の２枚の封口板１３１，１３２を備え、その合わせ面にバネ収納部１３３が形成されている。
【００２４】
バネ収納部１３３内には、導電接触ピン１４をマイクロホン本体２０側に向けて押し出す方向に付勢する圧縮コイルバネ１４１が収納されている。また、内側の第１封口板１３１には、一端がバネ収納部１３３内に配置されて圧縮コイルバネ１４１と接触する中継ピン１４２が植設されている。
【００２５】
中継ピン１４２の他端は、所定の配線材１４３を介して音響電気変換器１２内の上記固定極と電気的に接続されている。したがって、導電接触ピン１４は、圧縮コイルバネ１４１，中継ピン１４２および配線材１４３を介して上記固定極と電気的に接続され、上記固定極の引出電極として作用する。
【００２６】
なお、導電接触ピン１４自体が圧縮コイルバネ付きの導電接触ピンである場合には、封口部材１３を１枚の封口板とし、その封口部材１３に圧縮コイルバネ付きの導電接触ピンを貫設させるようにしてもよい。
【００２７】
マイクロホン本体２０は、出力モジュール部，音声信号出力部もしくはプリアンプ部とも呼ばれ、黄銅合金等の金属材よりなる円筒状のマイク筐体２１を備えている。
【００２８】
マイク筐体２１の連結端２１ａ側には、上記雄ネジ１１３の相手となる他方の連結手段としての雌ネジ２１１が形成されている。また、マイク筐体２１の連結端２１ａ側で雌ネジ２１１よりも奥まった箇所に電気絶縁性の支持基台２２が設けられている。
【００２９】
マイク筐体２１の後端側（連結端２１ａとは反対側）には、出力コネクタ２３が装着されている。出力コネクタ２３には、ＥＩＡＪ  ＲＣ−５２３６「音響機器ラッチロック式丸形コネクタ」に規定されている３ピンタイプの出力コネクタが好ましく用いられる。
【００３０】
支持基台２２と出力コネクタ２３との間で回路基板２４が支持されている。図示が省略されているが、回路基板２４には、インピーダンス変換器としてのＦＥＴ（電界効果トランジスタ）やローカット回路等を含む電子回路が設けられ、また、出力トランス等も実装される。
【００３１】
支持基台２２のほぼ中央には、上記導電接触ピン１４の相手となる端子ピン（第２接続端子部）２５が設けられている。端子ピン２５は、図示しないリード配線を介してＦＥＴのゲートに接続される。
【００３２】
これにより、マイクロホンカプセル１０をマイクロホン本体２０に連結すると、音響電気変換器１２の固定極が導電接触ピン１４，端子ピン２５を含む信号経路を介してＦＥＴのゲートに接続される。
【００３３】
本発明では、連結部分から入り込む外来電磁波に起因する高周波電流が上記信号経路を介してＦＥＴのゲートに流れ込まないようにするため、端子ピン２５の周りにフェライトビーズ２６が配置される。
【００３４】
この場合、支持基台２２にフェライトビーズ２６の収納溝２２１を形成して、収納溝２２１内にフェライトビーズ２６を着脱自在に収納することが好ましい。
【００３５】
これによれば、端子ピン２５とフェライトビーズ２６との間が確実に絶縁されるため、漏洩雑音が生じないばかりでなく、高周波電流による雑音が生じないような環境下では、フェライトビーズを簡単に取り外すことができる。
【００３６】
また、図１に示す連結時に、フェライトビーズ２６は、マイクロホンカプセル１０の封口部材１３により押さえ込まれるが、機械的振動をより効果的に防止するうえで、収納溝２２１の溝底に、例えば環状に形成されたクッションパッド（弾性体）２２２を配置することが好ましい。
【００３７】
クッションパッド２２２は、マイクロホンカプセル１０の封口部材１３側に設けられてもよいし、収納溝２２１の溝底と封口部材１３の双方に設けられてもよい。これによれば、フェライトビーズ２６の機械的振動による振動雑音を確実に防止することができる。
【００３８】
フェライトビーズ２６の材質は、Ｍｎ−Ｚｎフェライト，Ｎｉ−Ｚｎフェライト，カーボニル鉄ダスト等が好ましいが、フェライトビーズ２６の材質によって遮断周波数が異なるため、材質の異なる数種類のフェライトビーズ２６を用意して、適宜選択できるようにするとよい。
【００３９】
別の実施形態として、導電接触ピン１４をマイクロホン本体２０側とし、端子ピン２５をマイクロホンカプセル１０としてもよい。また、マイクロホン本体２０は、必ずしも出力コネクタ３０を備える必要はなく、例えば特許文献１に記載されている形態であってもよい。
【符号の説明】
【００４０】
１０  マイクロホンカプセル
１１  カプセル筐体
１１１  前部音響端子
１１２  後部音響端子
１１３  雄ネジ
１２  音響電気変換器
１３  封口部材
１３１，１３２  封口板
１４  導電接触ピン
２０  マイクロホン本体
２１  マイク筐体
２１１  雌ネジ
２２  支持基台
２２１  収納溝
２２２  クッションパッド
２３  出力コネクタ
２４  回路基板
２６  フェライトビーズ
【図１】
2011019087.tif 000003
【図２】
2011019087.tif 000004